(57)【要約】【課題】簡単な手段によってランプの誤装着を確実に防止できる直管型ＬＥＤランプ用ソケットを提供する。【解決手段】直管型ＬＥＤランプ１００が取り付けられるソケット１０は、ソケット本体１１と、ＬＥＤランプ１００の口金１０２から突出する一対の電極ピン１０３，１０４が挿入されるピン挿入孔１２，１３を備えている。ピン挿入孔１２，１３は、直管型蛍光ランプの電極ピンの間隔とは異なる間隔で設けられているので、直管型蛍光ランプをこのソケット１０に取り付けることはできない。このため、直管型蛍光ランプを直管型ＬＥＤランプに交換するにあたって、ソケット１０に対する配線変更工事が行われた後に、直管型蛍光ランプが誤装着されることによる短絡事故を未然に防止することができる。【選択図】図１
0003166073.tif 000002
【実用新案登録請求の範囲】
【請求項１】
ソケット本体と、
直管型ＬＥＤランプの口金から突出する一対の電極ピンが挿入される一対のピン挿入孔と、
前記ピン挿入孔に挿入された電極ピンと接触する接触子と、を備え、
前記ピン挿入孔は、直管型蛍光ランプの電極ピンの間隔とは異なる間隔で設けられていることを特徴とする直管型ＬＥＤランプ用ソケット。
【請求項２】
請求項１に記載のソケットにおいて、
前記ピン挿入孔は、交流給電方式の直管型ＬＥＤランプの電極ピンと対応しており、
当該ピン挿入孔の間隔が、直管型蛍光ランプの電極ピンの間隔より大きいことを特徴とする直管型ＬＥＤランプ用ソケット。
【請求項３】
請求項１に記載のソケットにおいて、
前記ピン挿入孔は、直流給電方式の直管型ＬＥＤランプの電極ピンと対応しており、
当該ピン挿入孔の間隔が、直管型蛍光ランプの電極ピンの間隔より小さいことを特徴とする直管型ＬＥＤランプ用ソケット。
【請求項４】
請求項１ないし請求項３のいずれかに記載のソケットにおいて、
前記接触子と電気的に接続され、前記ソケット本体から外部に導出されたリード線と、
前記導出されたリード線の端部に設けられた給電用の接続端子と、
をさらに備えていることを特徴とする直管型ＬＥＤランプ用ソケット。
【考案の詳細な説明】
【技術分野】
【０００１】
本考案は、直管型ＬＥＤランプが取り付けられるソケットに関し、特に、片側給電方式の直管型ＬＥＤランプに対応したソケットに関する。
【背景技術】
【０００２】
従来、事務所や工場などで使用されている照明は、直管型蛍光ランプが主流であったが、省電力化の要請や技術の進歩を背景として、最近では、直管型蛍光ランプを直管型ＬＥＤランプに置き換える動きが加速している。直管型ＬＥＤランプは、直管型蛍光ランプの管体と同様の真直ぐな管体の内部に、多数のＬＥＤ（Light Emitting Diode：発光ダイオード）チップを実装した基板を収納したものであり、直管型蛍光ランプに比べて、消費電力が小さく寿命が長いという特徴を有している。
【０００３】
このような直管型ＬＥＤランプは、直管型蛍光ランプと同様に、管体の端部に口金を備えており、この口金から一対の電極ピンが突出している。そして、現状では、これらの電極ピンの間隔は、直管型蛍光ランプの電極ピンの間隔と同じであるので、直管型蛍光ランプを直管型ＬＥＤランプに交換するにあたっては、直管型蛍光ランプ用のソケットを利用して、直管型ＬＥＤランプを取り付けることができる。直管型蛍光ランプ用のソケットとしては、日本工業規格（ＪＩＳ  Ｃ７６０１）で定められたＧ１３口金に対応したソケット（以下、「Ｇ１３口金用ソケット」という）が一般に用いられている。
【０００４】
但し、蛍光ランプとＬＥＤランプとでは、駆動方式が基本的に異なることから、直管型ＬＥＤランプを既設のＧ１３口金用ソケットに取り付ける場合は、直管型ＬＥＤランプに所定の給電を行うために、配線の変更や電源ユニットの設置などの工事が必要となる。
【０００５】
今日では、多数のメーカーから様々な仕様の直管型ＬＥＤランプが発売されているが、現在市場に供給されている直管型ＬＥＤランプは、主として次の３つのタイプに分類される。
【０００６】
（タイプ１）
蛍光ランプ用の安定器を接続したまま使用するタイプ。ＬＥＤ用の電源が内蔵されており、両側の電極ピンから給電を行う両側給電方式の直管型ＬＥＤランプである。このタイプでは、既設のＧ１３口金用ソケットに取り付けるにあたって、安定器を切り離す工事は不要である。
【０００７】
（タイプ２）
安定器を切り離して使用するタイプで、ＬＥＤ用の電源がランプ外部に設けられるもの。給電方式には、両側の電極ピンから給電を行う両側給電方式と、片側の電極ピンから給電を行う片側給電方式とがある。いずれの方式においても、給電電圧はＤＣ（直流）である。このタイプでは、既設のＧ１３口金用ソケットに取り付けるにあたって、安定器の切り離しに伴う配線変更工事と、電源ユニットの設置工事が必要である。
【０００８】
（タイプ３）
安定器を切り離して使用するタイプで、ＬＥＤ用の電源がランプに内蔵されているもの。給電方式には、両側の電極ピンから給電を行う両側給電方式と、片側の電極ピンから給電を行う片側給電方式とがある。いずれの方式においても、給電電圧はＡＣ（交流）である。このタイプでは、安定器の切り離しに伴う配線変更工事が必要である。
【０００９】
このように、直管型ＬＥＤランプには各種のタイプがあるが、タイプ２のうちの片側給電方式と、タイプ３のうちの片側給電方式においては、次のような問題がある。
【００１０】
片側給電方式の直管型ＬＥＤランプの場合、既設のＧ１３口金用ソケットに対して片側給電の配線工事を行うことで、ＬＥＤランプを当該ソケットに取り付けることができる。しかるに、配線工事が終了した時点では、片側のＧ１３口金用ソケットの端子に、安定器を経由せずに電源が直接接続されている。したがって、直管型ＬＥＤランプと間違って、直管型蛍光ランプを当該ソケットに取り付けると、蛍光ランプの電極ピンの間には導電体であるフィラメント電極が接続されているので、電源が短絡状態となって発火が生じる。
【００１１】
このような誤装着による短絡事故の対策として、社団法人日本電球工業会の規格（ＪＥＬ８０１：２０１０）による「Ｌ形口金付直管型ＬＥＤランプシステム」がある。これは、ランプ側の電極ピンの形状をＬ形にするとともに、ソケット側の端子をＬ形ピンに対応する構造としたものであり、Ｇ１３口金との互換性をなくすことで、蛍光ランプの誤装着を防止するものである。しかし、この規格はＤＣ専用の規格であり、また、ランプ側の電極ピンの形状をＬ形に変更しなければならないので、メーカー側の負担が大きくなる。
【００１２】
一方、下記の特許文献１には、異なる種類の蛍光ランプがソケットへ誤装着されるのを防止するためのアダプタが記載されている。アダプタにはスリットが設けられており、スリット幅は、旧型の蛍光ランプの電極ピンの径より小さく、新型の蛍光ランプの電極ピンの径より大きくなっている。このアダプタを既存のソケットへ取り付けることで、新型の蛍光ランプのみ装着が可能となり、旧型の蛍光ランプの誤装着が防止される。しかし、これによると、ソケットとは別にアダプタが必要となるので、ユーザーにとってはコスト負担が増える。
【００１３】
また、下記の特許文献２には、異なる種類の蛍光ランプがソケットへ誤装着されるのを防止するストッパ凸部を設けたソケットが記載されている。このソケットでは、管径の小さい蛍光ランプを装着するときは、ストッパ凸部がランプに当接せず、管径の大きい蛍光ランプが装着されるときは、ストッパ凸部がランプに当接することで、管径の大きい蛍光ランプの誤装着が防止される。しかし、この方法では、異種の蛍光ランプの管径が同じである場合は、誤装着を防止することができない。
【先行技術文献】
【特許文献】
【００１４】
【特許文献１】特開２００５−３１７５２７号公報
【特許文献２】特開平８−１２４４１６号公報
【考案の概要】
【考案が解決しようとする課題】
【００１５】
以上のように、ランプの誤装着による短絡事故に対する現状の対策は十分なものとは言えないことから、簡便かつ確実にランプの誤装着を防止できるような対策が望まれる。
【００１６】
本考案は、こうした要求に応えるものであり、その目的とするところは、簡単な手段によってランプの誤装着を確実に防止できる直管型ＬＥＤランプ用ソケットを提供することにある。
【課題を解決するための手段】
【００１７】
本考案に係る直管型ＬＥＤランプ用ソケットは、ソケット本体と、直管型ＬＥＤランプの口金から突出する一対の電極ピンが挿入される一対のピン挿入孔と、  このピン挿入孔に挿入された電極ピンと接触する接触子とを備えており、ピン挿入孔は、直管型蛍光ランプの電極ピンの間隔とは異なる間隔で設けられている。
【００１８】
このようにすることで、既設のソケットに対して工事を行った後に、直管型ＬＥＤランプを取り付ける場合は、ソケットのピン挿入孔の間隔が、ＬＥＤランプの電極ピンの間隔と対応しているので、ＬＥＤランプをソケットに正常に取り付けることができる。一方、直管型ＬＥＤランプと間違って直管型蛍光ランプを当該ソケットに取り付けようとしても、ソケットのピン挿入孔の間隔が蛍光ランプの電極ピンの間隔と異なっているので、電極ピンをピン挿入孔に挿入することができない。これにより、蛍光ランプの誤装着を確実に防止することができる。また、直管型ＬＥＤランプの電極ピンは従来形状のままでよく、特殊な形状に変更する必要はないので、電極ピンの間隔を変更するだけで対応できる。さらに、特許文献１に記載されているようなアダプタも不要となる。
【００１９】
本考案の第１実施形態では、ソケットのピン挿入孔は、交流給電方式の直管型ＬＥＤランプの電極ピンと対応しており、当該ピン挿入孔の間隔が、直管型蛍光ランプの電極ピンの間隔より大きくなっている。
【００２０】
本考案の第２実施形態では、ソケットのピン挿入孔は、直流給電方式の直管型ＬＥＤランプの電極ピンと対応しており、当該ピン挿入孔の間隔が、直管型蛍光ランプの電極ピンの間隔より小さくなっている。
【００２１】
本考案に係る直管型ＬＥＤランプ用ソケットは、接触子と電気的に接続されソケット本体から外部に導出されたリード線と、導出されたリード線の端部に設けられた給電用の接続端子とを備えていてもよい。このようにすれば、配線変更工事を行う際に、給電用の接続端子を利用して、ソケットに電源を容易に接続することができ、作業の効率化を図ることができる。
【考案の効果】
【００２２】
本考案によれば、直管型蛍光ランプを直管型ＬＥＤランプに交換するにあたり、工事終了後の直管型蛍光ランプの誤装着を、簡単な手段により確実に防止することができ、短絡事故による発火を未然に防ぐことが可能となる。
【図面の簡単な説明】
【００２３】
【図１】本考案の第１実施形態を示す図である。
【図２】本考案の第２実施形態を示す図である。
【図３】直管型蛍光ランプとそのソケットを示す図である。
【図４】直管型ＬＥＤランプ用ソケットの側面図である。
【考案を実施するための形態】
【００２４】
以下、本考案の実施形態につき、図面を参照しながら説明する。各図において、同一部分または対応部分には、同じ符号を付してある。
【００２５】
（第１実施形態）
図１に本考案の第１実施形態を示す。（ａ）は直管型ＬＥＤランプとそのソケットの要部斜視図、（ｂ）は直管型ＬＥＤランプの口金部分の平面図、（ｃ）はソケットの要部正面図を表している。第１実施形態は、交流給電方式の直管型ＬＥＤランプに適合したソケットを対象としている。
【００２６】
図１（ａ）において、直管型ＬＥＤランプ（以下、単に「ＬＥＤランプ」という）１００は、管体１０１と、この管体１０１の端部に設けられた口金１０２と、この口金１０２から突出する一対の電極ピン１０３，１０４とを備えている。このＬＥＤランプ１００は、例えば４０Ｗ／ＡＣ１００Ｖ仕様で、片側給電方式の電源内蔵タイプである（前述のタイプ３）。管体１０１の内部には、多数のＬＥＤチップを実装した基板と、ＬＥＤ用の電源回路が収納されている（図示省略）。電源回路はＡＣ／ＤＣコンバータから構成され、電極ピン１０３，１０４に給電されるＡＣ１００Ｖを直流に変換して、ＬＥＤに直流電流を供給し、ＬＥＤを発光させる。
【００２７】
直管型ＬＥＤランプ用ソケット（以下、単に「ソケット」という）１０は、ソケット本体１１と、このソケット本体１１に設けられた一対のピン挿入孔１２，１３とを備えている。ソケット本体１１は、Ｇ１３口金用ソケットと同様の形状となっている。ピン挿入孔１２，１３には、ＬＥＤランプ１００の一対の電極ピン１０３，１０４が挿入される。このため、ピン挿入孔１２，１３の間隔、すなわち図１（ｃ）に示す間隔Ｘは、電極ピン１０３，１０４の間隔、すなわち図１（ｂ）に示す間隔Ｘと等しくなっている。
【００２８】
ここで、ピン挿入孔１２，１３の間隔Ｘは、図３に示す直管型蛍光ランプ（以下、単に「蛍光ランプ」という）３００の電極ピン３０３，３０４の間隔Ｙよりも大きく設定されている。なお、図３の（ａ）〜（ｃ）は、図１の（ａ）〜（ｃ）に対応しており、蛍光ランプ３００の各部３０１〜３０４は、ＬＥＤランプ１００の各部１０１〜１０４に相当している。また、ソケット３０はＧ１３口金用ソケットであり、ソケット３０の各部３１〜３３は、ソケット１０の各部１１〜１３に対応している。
【００２９】
一例として、蛍光ランプ３００の電極ピン間隔Ｙが１２．７ｍｍである場合、ソケット３０のピン挿入孔３２，３３の間隔も１２．７ｍｍであるが、第１実施形態のソケット１０のピン挿入孔１２，１３の間隔Ｘは、例えば、それより２ｍｍ大きい１４．７ｍｍに設定されている。したがって、ＬＥＤランプ１００の電極ピン間隔Ｘも、１４．７ｍｍとなる。
【００３０】
蛍光ランプ３００をＬＥＤランプ１００に交換するにあたっては、蛍光ランプ用のソケット３０をＬＥＤランプ用のソケット１０に取り替え、配線変更工事を行う。この工事では、安定器（図示省略）を切り離し、ソケット１０の端子（後述）にＡＣ電源が接続されるように配線を変更する。
【００３１】
配線変更工事が終了すると、ＬＥＤランプ１００をソケット１０に取り付ける。この場合、ＬＥＤランプ１００の電極ピン１０３，１０４の間隔Ｘは、ソケット１０のピン挿入孔１２，１３の間隔Ｘと同じなので、電極ピン１０３，１０４をピン挿入孔１２，１３に挿入して、挿入孔内の接触子（後述）と電気的に接続することで、ＬＥＤランプ１００を正常に取り付けることができる。取り付け後は、電極ピン１０３，１０４にＡＣ１００Ｖが給電され、片側給電方式によりＬＥＤランプ１００が点灯する。
【００３２】
一方、配線変更工事終了後に、ＬＥＤランプ１００と間違って蛍光ランプ３００をソケット１０に取り付けようとしても、ピン挿入孔１２，１３の間隔Ｘ（図１（ｃ）参照）は、蛍光ランプ３００の電極ピン３０３，３０４の間隔Ｙ（図３（ｂ）参照）より大きいので、電極ピン３０３，３０４をピン挿入孔１２，１３に挿入することができない。したがって、蛍光ランプ３００をソケット１０に取り付けることは不可能となり、ランプの誤装着を確実に防止することができる。
【００３３】
このように、ピン挿入孔１２，１３の間隔Ｘを、蛍光ランプ３００の電極ピン３０３，３０４の間隔Ｙと異ならせることによって、ソケット１０は、ＬＥＤランプ１００の専用ソケット（ＡＣタイプ）となり、蛍光ランプ３００の誤装着を防止して、短絡事故による発火を未然に防ぐことが可能となる。また、ＬＥＤランプ１００の電極ピン１０３，１０４は従来形状のままでよく、Ｌ形のような形状に変更する必要はないので、メーカー側では電極ピンの間隔を変更するだけで対応できる。さらに、アダプタも不要となるので、ユーザー側のコスト負担が増えることもない。したがって、本実施形態によれば、簡単な手段によってランプの誤装着を確実に防止することができる。
【００３４】
（第２実施形態）
図２に本考案の第２実施形態を示す。（ａ）は直管型ＬＥＤランプとそのソケットの要部斜視図、（ｂ）は直管型ＬＥＤランプの口金部分の平面図、（ｃ）はソケットの要部正面図を表している。第２実施形態は、直流給電方式の直管型ＬＥＤランプに適合したソケットを対象としている。
【００３５】
図２（ａ）において、ＬＥＤランプ２００は、管体２０１と、この管体２０１の端部に設けられた口金２０２と、この口金２０２から突出する一対の電極ピン２０３，２０４とを備えている。このＬＥＤランプ２００は、例えば４０Ｗ／ＤＣ５０Ｖ仕様で、片側給電方式の電源外付けタイプである（前述のタイプ２）。管体２０１の内部には、多数のＬＥＤチップを実装した基板が収納されている（図示省略）。外付けされる電源ユニット（図示省略）は、ＡＣ／ＤＣコンバータから構成され、ＡＣ１００Ｖを直流に変換して、電極ピン２０３，２０４を介してＬＥＤに直流電流を供給し、ＬＥＤを発光させる。
【００３６】
ソケット２０は、ソケット本体２１と、このソケット本体２１に設けられた一対のピン挿入孔２２，２３とを備えている。ソケット本体２１は、Ｇ１３口金用ソケットと同様の形状となっている。ピン挿入孔２２，２３には、ＬＥＤランプ２００の一対の電極ピン２０３，２０４が挿入される。このため、ピン挿入孔２２，２３の間隔、すなわち図２（ｃ）に示す間隔Ｘは、電極ピン２０３，２０４の間隔、すなわち図２（ｂ）に示す間隔Ｘと等しくなっている。
【００３７】
ここで、ピン挿入孔２２，２３の間隔Ｘは、図３に示した蛍光ランプ３００の電極ピン３０３，３０４の間隔Ｙよりも小さく設定されている。
【００３８】
一例として、蛍光ランプ３００の電極ピン間隔Ｙが１２．７ｍｍである場合、ソケット３０のピン挿入孔３２，３３の間隔も１２．７ｍｍであるが、第２実施形態のソケット２０のピン挿入孔２２，２３の間隔Ｘは、例えば、それより２ｍｍ小さい１０．７ｍｍに設定されている。したがって、ＬＥＤランプ２００の電極ピン間隔Ｘも、１０．７ｍｍとなる。なお、第２実施形態では、第１実施形態の場合（ＡＣ１００Ｖ）と比べて、給電電圧が低いので（ＤＣ５０Ｖ）、間隔Ｘを小さくしても弊害はない。
【００３９】
蛍光ランプ３００をＬＥＤランプ２００に交換するにあたっては、蛍光ランプ用のソケット３０をＬＥＤランプ用のソケット２０に取り替え、配線変更工事と電源ユニット設置工事を行う。この工事では、安定器（図示省略）を切り離し、ソケット２０の端子（後述）に電源ユニット（ＤＣ電源）が接続されるように配線を変更する。
【００４０】
配線変更工事が終了すると、ＬＥＤランプ２００をソケット２０に取り付ける。この場合、ＬＥＤランプ２００の電極ピン２０３，２０４の間隔Ｘは、ソケット２０のピン挿入孔２２，２３の間隔Ｘと同じなので、電極ピン２０３，２０４をピン挿入孔２２，２３に挿入して、挿入孔内の接触子（後述）と電気的に接続することで、ＬＥＤランプ２００を正常に取り付けることができる。取り付け後は、電極ピン２０３，２０４にＤＣ５０Ｖが給電され、片側給電方式によりＬＥＤランプ２００が点灯する。
【００４１】
一方、配線変更工事終了後に、ＬＥＤランプ２００と間違って蛍光ランプ３００をソケット２０に取り付けようとしても、ピン挿入孔２２，２３の間隔Ｘ（図２（ｃ）参照）は、蛍光ランプ３００の電極ピン３０３，３０４の間隔Ｙ（図３（ｂ）参照）より小さいので、電極ピン３０３，３０４をピン挿入孔２２，２３に挿入することができない。したがって、蛍光ランプ３００をソケット２０に取り付けることは不可能となり、ランプの誤装着を確実に防止することができる。
【００４２】
このように、ピン挿入孔２２，２３の間隔Ｘを、蛍光ランプ３００の電極ピン３０３，３０４の間隔Ｙと異ならせることによって、ソケット２０は、ＬＥＤランプ２００の専用ソケット（ＤＣタイプ）となり、蛍光ランプ３００の誤装着を防止して、短絡事故による発火を未然に防ぐことが可能となる。また、ＬＥＤランプ２００の電極ピン２０３，２０４は従来形状のままでよく、Ｌ形のような形状に変更する必要はないので、メーカー側では電極ピンの間隔を変更するだけで対応できる。さらに、アダプタも不要となるので、ユーザー側のコスト負担が増えることもない。したがって、本実施形態によれば、簡単な手段によってランプの誤装着を確実に防止することができる。
【００４３】
図４は、ソケット１０（図１）の概略構造を示す側面図である。ソケット本体１１の内部には、接触子１４が設けられている。この接触子１４は、弾性を有する金属板から構成されている。接触子１４の一端は、ピン接触部１５としてピン挿入孔１３に臨んでおり、接触子１４の他端は、端子１６に固定されている。ピン挿入孔１３に電極ピン１０４（図１）が挿入されると、ピン接触部１５が電極ピン１０４で押されて変位し、接触子１４の弾性により電極ピン１０４とピン接触部１５とが圧接するとともに、両者が電気的に接続される。
【００４４】
端子１６には、リード線５０が接続されている。リード線５０は、ソケット本体１１から外部へ導出されており、導出されたリード線５０の端部には、給電用の接続端子５１が設けられている。この接続端子５１は、例えば圧着端子であって、絶縁用のビニールカバー５２が被せられている。接続端子５１には、配線変更工事の際に、電源ケーブルの端部に設けられたコネクタ（図示省略）が接続され、電源からリード線５０および接触子１４を介して、ＬＥＤランプ１００へ給電が行われる。
【００４５】
このように、給電用の接続端子５１を備えたリード線５０をソケット１０に付設することにより、配線変更工事を行う際に、接続端子５１を利用して、ソケット１０に電源を容易に接続することができ、作業の効率化を図ることができる。また、接続端子５１をビニールカバー５２の付属した圧着端子とすることで、接続部の絶縁を確実に行うことができる。
【００４６】
なお、図４では、一方のピン挿入孔１３のみ図示されているが、他方のピン挿入孔１２についても、上記と同様の接触子１４、端子１６、リード線５０等が設けられている。また、図４では、図１のソケット１０を示したが、図２のソケット２０についても、図４と同様の構造が採用される。
【００４７】
本考案は、上述した実施形態のみに限定されるものではなく、これら以外にも、種々の実施形態を採用することができる。例えば、ＬＥＤランプ用ソケットのピン挿入孔の間隔Ｘと、蛍光ランプの電極ピンの間隔Ｙとの関係につき、上記実施形態では、交流給電方式（図１）の場合にＸ＞Ｙとし、直流給電方式の場合（図２）にＸ＜Ｙとしたが、電圧仕様に応じて、上記とは逆に、交流給電方式の場合にＸ＜Ｙとし、直流給電方式の場合にＸ＞Ｙとしてもよい。
【００４８】
また、上記実施形態では、蛍光ランプ３００の電極ピン間隔Ｙを１２．７ｍｍとし、ソケット１０のピン挿入孔間隔Ｘを１４．７ｍｍとし、ソケット２０のピン挿入孔間隔Ｘを１０．７ｍｍとした例を挙げたが、これらの寸法は一例であって、他の寸法値を採用してもよいことは言うまでもない。
【００４９】
また、図４では、給電用の接続端子５１を備えたリード線５０をソケット１０に付設した例を挙げたが、これに代えて、ソケット１０自体に給電用の接続端子（図示省略）を設け、これに電源ケーブルのコネクタを接続するようにしてもよい。ソケット２０についても同様である。
【００５０】
さらに、ソケットの形状や構造も図示したものに限定されず、他の形状・構造を備えたソケットにも本考案を適用することができる。
【符号の説明】
【００５１】
１０，２０  直管型ＬＥＤランプ用ソケット
１１，２１  ソケット本体
１２，１３，２２，２３  ピン挿入孔
１４    接触子
３０    直管型蛍光ランプ用ソケット
５０    リード線
５１    接続端子
１００，２００  直管型ＬＥＤランプ
１０１，２０１  管体
１０２，２０２  口金
１０３，１０４，２０３，２０４  電極ピン
３００  直管型蛍光ランプ
【図１】
0003166073.tif 000003
【図２】
0003166073.tif 000004
【図３】
0003166073.tif 000005
【図４】
0003166073.tif 000006